(57)【要約】【課題】蓋開閉の操作性、信頼性、組立性、デザイン性のよい洗濯機を提供すること。【解決手段】前蓋体８と後蓋体１１による中折れ構造にした蓋体５は、前蓋体８の後面に形成した前ワイヤー係止部１６と、後蓋体１１内で後軸部１３の下方、かつ、前方に形成した後ワイヤー係止部１５と、後蓋体１１の前方に形成した前ワイヤーテンショナー３８と、後蓋体１１内で後軸部１３の後方に形成した後ワイヤーテンショナー１７とを有し、前ワイヤー係止部１６と後ワイヤー係止部１５を、前ワイヤーテンショナー３８および後ワイヤーテンショナー１７を介して、屈曲自在で線状のワイヤー１４で連結することによって、蓋開閉の操作性、信頼性、および組立性の向上と共に、ワイヤー１４が蓋体５内に収められるので、デザイン性も向上させることができる。【選択図】図３
2018126349.tif 000002
【特許請求の範囲】
【請求項１】
外郭と、洗濯物を収容する洗濯兼脱水槽と、前記外郭の上部角隅より垂下防振支持され、前記洗濯兼脱水槽を回転自在に内包する水槽と、前記外郭上部に設けられた上部外郭と、前記上部外郭の略中央部に形成された洗濯物出入口と、前記洗濯物出入口を開閉自在に覆い、前後方向を前蓋体と後蓋体による中折れ構造にした蓋体と、前記後蓋体に形成され、前記前蓋体を回転自在に連結する連結軸部と、前記上部外郭の後部に形成され、前記蓋体を回転自在に軸支する後軸部と、前記後軸部に設けられ、前記蓋体の開閉速度を減衰するダンパーと、前記前蓋体に設けられた前記蓋体開閉用の把手部とを備え、前記蓋体は、前記前蓋体の後面に形成した前ワイヤー係止部と、前記後蓋体内の前記後軸部の下方で、かつ、前方に形成した後ワイヤー係止部と、前記後蓋体の前方に形成した前ワイヤーテンショナーと、前記後蓋体内の前記後軸部の後方に形成した後ワイヤーテンショナーとを有し、前記前ワイヤー係止部と前記後ワイヤー係止部を、前記前ワイヤーテンショナーおよび前記後ワイヤーテンショナーを介して屈曲自在なワイヤーで連結した洗濯機。
【発明の詳細な説明】
【技術分野】
【０００１】
本発明は、上面の衣類投入口などの開口部を開閉自在に覆う蓋体を有する洗濯機に関するものである。
【背景技術】
【０００２】
従来、この種の洗濯機は、蓋の構造において、蓋の開閉をしやすくするために、前後方向に２つに折れる中折れ構造とすると共に、開閉を補助する機構が提案されている（例えば、特許文献１参照）。
【０００３】
図４は、特許文献１に記載された従来の洗濯機の一部破断した縦断面図、図５は、同洗濯機の要部の一部破断した断面図、図６は、同洗濯機の蓋体部の一部破断した断面図である。
【０００４】
図４、図５、図６において、本体４１内に防振装置４３により水槽４２を垂下支持しつつ収容し、水槽４２内には、中央内底部に攪拌用の攪拌翼４５を回転自在に配した洗濯兼脱水槽４４を回転自在に配設している。攪拌翼４５および洗濯兼脱水槽４４は、水槽４２の外底部に固着したモータ４７により回転駆動される。
【０００５】
また、本体４１の最上部には、トップカバー５５を装着し、トップカバー５５の中央部に、洗濯兼脱水槽４４内に臨む洗濯物出入口５６を有し、この洗濯物出入口５６の上方に開閉自在に平面状の蓋体５７を軸支している。
【０００６】
蓋体５７は、使用者が開閉操作する前蓋５９と、前蓋５９に回動可能に連結した後方の後蓋５８とから成っており、開放した状態を５７ａで示し、前蓋５９は、後蓋５８に平行状態に折れ曲がる。また、蓋体５７に示すように、開放時には略垂直状態に回動する。
【０００７】
後蓋５８の後端部には、左右の両側に横向きの軸穴６０を形成し、一方トップカバー５５には軸穴６０に摺動自在に軸６１を横向きに突出させて有する軸支持部６２を突設し、軸６１に後蓋５８の軸穴６０を遊嵌して蓋体５７を回動自在に軸支している。
【０００８】
後蓋５８の軸穴６０後下方には、扇形のギヤ部６９を有するレバー体６４を一体形成し、レバー体６４の下端に形成した扇形のギヤ部６９は、トップカバー５５の後部内を前後に移動可能に構成したラック６５の平歯車７１に噛み合っている。ラック６５は、ピストンロッド６６を連結してトップカバー５５後部下方に固定配置した水平軸方向に抵抗力を有するダンパー本体６７に連動している。
【０００９】
また、レバー体６４には、蓋体５７を開放、または閉塞する方向に付勢力を与えるために、ねじりコイル部の腕を外方に延設したトグルばね７０を係着し、蓋体５７が水平状態では、蓋体５７を閉じるように、レバー体６４を、軸穴６０を中心に反時計（矢印Ｆ）方向に付勢している。
【００１０】
また、ダンパー本体６７は、ピストンロッド６６の後方（矢印Ｇ方向）への移動時にのみ抵抗を与える片利き構造となっており、反対方向の矢印Ｃ方向で示すピストンの前方向への移動については、抵抗を与えないように構成されている。
【００１１】
よって、蓋体５７を矢印Ａ方向に開放する際は、レバー体６４を軸６１中心にＢ方向へ回転し、扇形のギヤ部６９に噛み合うラック６５は、Ｃ方向に移動するが、ダンパー本体
６７の抵抗は無い。一方、蓋体５７を開放状態から閉塞する場合（矢印Ｅ方向）には、扇形のギヤ部６９に噛み合うラック６５は後方（Ｇ方向）に移動し、ダンパー本体６７の抵抗を受け、蓋体５７の回動を減衰するようになっている。
【先行技術文献】
【特許文献】
【００１２】
【特許文献１】特開２０００−１６７２９０号公報
【発明の概要】
【発明が解決しようとする課題】
【００１３】
しかしながら、前記従来の構成機では、開閉を補助する機構が複雑であるために、組立工数が増加するとともに、機構に汚れやほこりが付着しやすく、動作不良を起こす可能性がある虞があるという課題があった。
【００１４】
本発明は、前記従来の課題を解決するもので、シンプルな構成で蓋開閉の操作性、信頼性、デザイン性を向上するとともに、組立性も向上した蓋開閉補助機構を有する洗濯機を提供することを目的としている。
【課題を解決するための手段】
【００１５】
前記従来の課題を解決するために、本発明の洗濯機は、外郭と、洗濯物を収容する洗濯兼脱水槽と、前記外郭の上部角隅より垂下防振支持され、前記洗濯兼脱水槽を回転自在に内包する水槽と、前記外郭上部に設けられた上部外郭と、前記上部外郭の略中央部に形成された洗濯物出入口と、前記洗濯物出入口を開閉自在に覆い、前後方向を前蓋体と後蓋体による中折れ構造にした蓋体と、前記後蓋体に形成され、前記前蓋体を回転自在に連結する連結軸部と、前記上部外郭の後部に形成され、前記蓋体を回転自在に軸支する後軸部と、前記後軸部に設けられ、前記蓋体の開閉速度を減衰するダンパーと、前記前蓋体に設けられた前記蓋体開閉用の把手部とを備え、前記蓋体は、前記前蓋体の後面に形成した前ワイヤー係止部と、前記後蓋体内の前記後軸部の下方で、かつ、前方に形成した後ワイヤー係止部と、前記後蓋体の前方に形成した前ワイヤーテンショナーと、前記後蓋体内の前記後軸部の後方に形成した後ワイヤーテンショナーとを有し、前記前ワイヤー係止部と前記後ワイヤー係止部を、前記前ワイヤーテンショナーおよび前記後ワイヤーテンショナーを介して屈曲自在なワイヤーで連結する構成としたものである。
【００１６】
これによって、蓋体開閉時の操作性、信頼性、および組立性の向上と、デザイン性を向上させることができる。
【発明の効果】
【００１７】
本発明の洗濯機は、蓋開閉の補助に線状のワイヤーを採用することにより、蓋体開閉時の操作性、信頼性、および組立性の向上と、デザイン性も向上させることができる。
【図面の簡単な説明】
【００１８】
【図１】本発明の実施の形態における洗濯機の外観斜視図
【図２】同洗濯機の蓋体閉塞状態の縦断面図
【図３】（ａ）同洗濯機の蓋体閉塞状態の部分断面図、（ｂ）同洗濯機の蓋体開放状態の部分断面図
【図４】従来の洗濯機の一部破断した縦断面図
【図５】同洗濯機の要部の一部破断した断面図
【図６】同洗濯機の蓋体部の一部破断した断面図
【発明を実施するための形態】
【００１９】
第１の発明は、外郭と、洗濯物を収容する洗濯兼脱水槽と、前記外郭の上部角隅より垂下防振支持され、前記洗濯兼脱水槽を回転自在に内包する水槽と、前記外郭上部に設けられた上部外郭と、前記上部外郭の略中央部に形成された洗濯物出入口と、前記洗濯物出入口を開閉自在に覆い、前後方向を前蓋体と後蓋体による中折れ構造にした蓋体と、前記後蓋体に形成され、前記前蓋体を回転自在に連結する連結軸部と、前記上部外郭の後部に形成され、前記蓋体を回転自在に軸支する後軸部と、前記後軸部に設けられ、前記蓋体の開閉速度を減衰するダンパーと、前記前蓋体に設けられた前記蓋体開閉用の把手部とを備え、前記蓋体は、前記前蓋体の後面に形成した前ワイヤー係止部と、前記後蓋体内の前記後軸部の下方で、かつ、前方に形成した後ワイヤー係止部と、前記後蓋体の前方に形成した前ワイヤーテンショナーと、前記後蓋体内の前記後軸部の後方に形成した後ワイヤーテンショナーとを有し、前記前ワイヤー係止部と前記後ワイヤー係止部を、前記前ワイヤーテンショナーおよび前記後ワイヤーテンショナーを介して屈曲自在なワイヤーで連結する構成としたものである。
【００２０】
この構成により、蓋開閉の操作性、信頼性、および組立性の向上を図り、ワイヤーが蓋体内に収められるので、デザイン性も向上させることができる。
【００２１】
以下、本発明の実施の形態について、図面を参照しながら説明する。なお、この実施の形態によって本発明が限定されるものではない。
【００２２】
（実施の形態１）
図１は、本発明の実施の形態における洗濯機の外観斜視図、図２は、同洗濯機の蓋体閉塞状態の縦断面図、図３（ａ）は、同洗濯機の蓋体閉塞状態の部分断面図、（ｂ）は同洗濯機の蓋体開放状態の部分断面図である。
【００２３】
図１、図２において、外郭２は、水槽２５を防振装置２７により垂下防振支持している。水槽２５の内部には、洗濯兼脱水槽１を回転自在に設け、洗濯兼脱水槽１の内底部に衣類を攪拌するパルセータ２６を回転自在に設けている。また、水槽２５の下方には、モータ（駆動手段）３１を設け、Ｖベルト２８、減速機構２９を介して、パルセータ２６、または洗濯兼脱水槽１を回転させる。
【００２４】
上部外郭３は、外郭２の上部全体をほぼ覆うもので、略中央部に洗濯物出入口４を形成している。また、上部外郭３は、洗濯物出入口４の上方全体を開閉自在に覆う蓋体５を、後軸部１３（図３参照）にて軸支している。
【００２５】
また、上部外郭３の後方内部には、水槽２５に給水する給水弁（図示せず）を設けており、水槽２５の底面側には水槽２５内の水を機外へ排水するための排水弁３７が設けている。
【００２６】
上部外郭３内部には、制御手段（図示せず）を有する制御装置３６が設けられ、モータ３１、給水弁、排水弁３７などの動作を制御し、洗い、すすぎ、脱水の一連の行程を逐次制御する。
【００２７】
蓋体５は、開閉操作時に持つ把手部９を有する前蓋体８と後蓋体１１の２枚の蓋から成っている。そして、前蓋体８と後蓋体１１間を後蓋体１１に形成した連結軸部１２により連結して、前後方向に２つに折れる、いわゆる中折れ構造となっている。
【００２８】
操作表示部６には、電源スイッチ２１、運転コースなどを設定する各種の操作スイッチ７、設定された内容や進行度合いを表示する表示部２３があり、電源スイッチ２１をオンして、操作スイッチ７により設定して、スタートスイッチ２２をオンすることにより、行
程運転が開始する。
【００２９】
図３（ａ）、（ｂ）において、上部外郭３の後軸部１３の下方に、屈曲自在で線状のワイヤー１４の一端を係止する後ワイヤー係止部１５を設け、ワイヤー１４は、後軸部１３の後方で後蓋体１１内に設けられた後ワイヤーテンショナー１７を介して、後蓋体１１の内部を通り、後蓋体１１の前部に設けた前ワイヤーテンショナー３８を介して、前蓋体８の後面に形成した前ワイヤー係止部１６に他端を係止している。
【００３０】
後ワイヤーテンショナー１７、前ワイヤーテンショナー３８は、ワイヤー１４の動きを滑らかにするためのものであり、棒状の丸ピンであるが、固定車であっても良い。
【００３１】
ここで、蓋体５を閉状態にした時、前ワイヤー係止部１６は、前蓋体８と後蓋体１１を連結する連結軸部１２の上方に位置するように設けている。
【００３２】
また、後ワイヤーテンショナー１７は、蓋体５が閉じている時は後軸部１３の後方に位置し、蓋体５が開いた時には、後軸部１３の下方、かつ、前方に位置しており、ワイヤー１４の前に位置するようになっている。
【００３３】
また、後軸部１３は、ダンパー機構（図示せず）を有しており、蓋体５を閉じる際に手を離しても、急速に蓋体５が閉まらないようになっている。
【００３４】
以上のように構成した洗濯機について、以下、その動作、作用を説明する。
【００３５】
蓋体５の開時において、ワイヤー１４は、後ワイヤー係止部１５から前ワイヤー係止部１６の間でほぼ直線状態になり、前蓋体８は、後ワイヤーテンショナー１７、前ワイヤーテンショナー３８を介して、ワイヤー１４が伸びきるまで連結軸部１２を軸にして折れ曲がる。この時、前蓋体８が折れ曲がって把手部９が使用者に近くなるので、蓋体５を閉塞する際の作業性が良い。
【００３６】
また、蓋体５を閉塞する際には、把手部９を持って手前に引く。把手部９を手前に引くと、後軸部１３を軸として後蓋体１１が回動する。この回動に伴い、後蓋体１１の後ワイヤーテンショナー１７は、後軸部１３の下方から後方に移動する。
【００３７】
後ワイヤーテンショナー１７は、蓋体５が開放している際には、後軸部１３の下方、かつ、前方に位置し、ワイヤー１４の前に位置しているので、後蓋体１１の回動に伴って、後軸部１３を中心に後ワイヤーテンショナー１７が後方に移動すると、後ワイヤーテンショナー１７がワイヤー１４を後ろに引っ張ることになる。
【００３８】
後ろに引っ張られたワイヤー１４は、後ワイヤーテンショナー１７で屈曲し、前ワイヤー係止部１６を引っ張るので、蓋体５が閉塞状態に近づくにつれて中折れ角度は鈍角になり、完全に蓋体５が閉じたときには前蓋体８と後蓋体１１はほぼフラットになる。
【００３９】
ここで、後軸部１３は、蓋体５の回転速さを減衰するダンパー機構を有しているので、蓋体５の重心が後軸部１３の前に来た時点で手を離しても、急速に蓋体５が閉まることなくゆっくりと閉まっていく。その過程で前記のように中折れ角度は徐々に鈍角になっていくので、前蓋体８が折れ曲がったまま蓋体５が閉まることは無い。
【００４０】
さらに、蓋体５の閉塞状態で、ワイヤー１４、後ワイヤー係止部１５、前ワイヤー係止部１６は外側からは見えないので、デザイン性を損なうことは無い。また、蓋体５が開放している時でも、ワイヤー１４、後ワイヤー係止部１５、前ワイヤー係止部１６の見える
部分は少なく、汚れやほこりが付きにくいので清掃しやすい。
【００４１】
以上のように、本実施の形態においては、洗濯物出入口４を開閉自在に覆い、前後方向を前蓋体８と後蓋体１１による中折れ構造にした蓋体５は、前蓋体８の後面に形成した前ワイヤー係止部１６と、後蓋体１１内で後軸部１３の下方、かつ、前方に形成した後ワイヤー係止部１５と、後蓋体１１の前方に形成した前ワイヤーテンショナー３８と、後蓋体１１内で後軸部１３の後方に形成した後ワイヤーテンショナー１７とを有し、前ワイヤー係止部１６と後ワイヤー係止部１５を、前ワイヤーテンショナー３８および後ワイヤーテンショナー１７を介して、屈曲自在で線状のワイヤー１４で連結することによって、蓋開閉の操作性、信頼性、および組立性の向上と共に、ワイヤー１４が蓋体５内に収められるので、デザイン性も向上させることができる。
【産業上の利用可能性】
【００４２】
以上のように、本発明にかかる洗濯機は、蓋開閉の補助に線状のワイヤーを採用することにより、蓋開閉の操作性を向上するとともに、デザイン性を良くし、信頼性および組立性を向上することができるので、中折れ構造の蓋体を有する他の電化機器の用途に適用できる。
【符号の説明】
【００４３】
１  洗濯兼脱水槽
２  外郭
３  上部外郭
４  洗濯物出入口
５  蓋体
８  前蓋体
９  把手部
１１  後蓋体
１２  連結軸部
１３  後軸部
１４  ワイヤー
１５  後ワイヤー係止部
１６  前ワイヤー係止部
１７  後ワイヤーテンショナー
２５  水槽
３８  前ワイヤーテンショナー
【図１】
2018126349.tif 000003
【図２】
2018126349.tif 000004
【図３】
2018126349.tif 000005
【図４】
2018126349.tif 000006
【図５】
2018126349.tif 000007
【図６】
2018126349.tif 000008